(57)【特許請求の範囲】
【請求項１】
露出端を有する複数の相隔てられた鉄筋とともに使用される串刺防止器具であって、
前記鉄筋の露出端の上に延在するように形成された細長い先端部と、；
前記串刺防止器具の前記先端部と相隔てられた開端と、
前記串刺防止器具の前記開端は、前記串刺防止器具の前記先端部よりも大きく；
前記先端部と接続し、かつ、当該先端部から下方に延在する細長い相隔てられた側部のペアを備え、
前記側部は、当該先端部に対して鈍角で前記先端部から外側に延在し；
前記側部に接続され、かつ、前記側部間に延在する相隔てられた末端部のペアを備え、
前記末端部は、さらに、前記先端部と接続し、かつ、前記先端部に対して鈍角で当該先端部から外側に延在し、
筐体が、共に接続された前記先端部、前記側部及び前記末端部により形成され、
前記筐体は、前記鉄筋の露出端の上に延在可能であり、
さらに、前記串刺防止器具の前記先端部に接続し、前記串刺防止器具の前記先端部に沿って延在する強化板を備え、
前記強化板は、断面においてＵ字形であることを特徴とする串刺防止器具。
【請求項２】
請求項１記載の串刺防止器具において、
前記末端部は、二等辺四角形に形成され、
前記側部は、二等辺四角形に形成されていることを特徴とする串刺防止器具。
【請求項３】
請求項１記載の串刺防止器具において、
前記先端部は、相隔てられた複数のエロンゲイトリブを備えることを特徴とする串刺防止器具。
【請求項４】
請求項１記載の串刺防止器具において、
さらに、前記側部に接続され、かつ、前記側部に沿って間隔があいている複数のスタッキングスペーサーを備え、
前記スペーサーは、前記串刺防止器具と追加の前記串刺防止器具とが積み重ねられている場合に、前記串刺防止器具の側部と当該追加の前記串刺防止器具の側部との間に間隔を与えることを特徴とする串刺防止器具。
【請求項５】
請求項１記載の串刺防止器具において、
さらに、前記串刺防止器具の前記側部に接続し、かつ、前記串刺防止器具の前記側部の間に延在する複数の相隔てられたウェブを備え、
前記ウェブは、長手方向に相隔てられ、かつ、前記串刺防止器具の前記先端部に接続し、かつ、前記串刺防止器具の前記先端部から下方に延在することを特徴とする串刺防止器具。
【請求項６】
請求項１記載の串刺防止器具において、
前記串刺防止器具は、前記串刺防止器具の前記側部の間で、前記串刺防止器具の前記側部が前記串刺防止器具の前記先端部に接続する位置に隣接する位置で、前記鉄筋の露出端をぴったり受けるように形成されていることを特徴とする串刺防止器具。
【請求項７】
請求項１記載の串刺防止器具において、
前記先端部は、前記鉄筋の前記露出端のそれぞれを受けるように形成された細長い溝を備えることを特徴とする串刺防止器具。
【請求項８】
請求項１記載の串刺防止器具において、
前記串刺防止器具は、前記鉄筋の開端から前記先端部に向けて先細であることを特徴とする串刺防止器具。
【請求項９】
請求項１記載の串刺防止器具において、
前記先端部は、前記串刺防止器具の側部のそれぞれに隣接する相隔てられた長手方向のリッジのペアを備え、
前記先端部は、リッジの間に位置する細長い溝を備え、
前記溝は、下方に延在し、かつ、前記串刺防止器具の側部の間に位置し、
前記串刺防止器具は、さらに、前記溝内に位置する複数の長手方向に相隔てられた横リブを備え、
前記横リブは、前記リッジと接続し、かつ、前記リッジ間に延在することを特徴とする串刺防止器具。
【請求項１０】
請求項１記載の串刺防止器具において、
記強化板は、金属により構成され、
記串刺防止器具の残部はプラスチックにより構成され、
記串刺防止器具の先端部は、内表面を有し、
記強化板は、前記串刺防止器具の前記先端部の前記内表面に隣接することを特徴とする串刺防止器具。
【請求項１１】
請求項１記載の串刺防止器具において、
前記串刺防止器具は、
内面を備え、
さらに、前記串刺防止器具の前記内面内に位置する相隔てられた突出部のペアを備え、
前記突出部は、前記串刺防止器具の前記側部のそれぞれから外側に延在し、
前記強化板は、前記串刺防止器具の突出部及び前記先端部により、所定の位置に差し込まれ、かつ、維持されることを特徴とする串刺防止器具。
【請求項１２】
請求項１１記載の串刺防止器具において、
前記突出部は、部分的に球形であり、凸状に屈曲した外表面を有することを特徴とする串刺防止器具。
【請求項１３】
複数の鉄筋と請求項１〜１２のうちいずれか１項記載の串刺防止器具との組合せ。
【発明の詳細な説明】
【技術分野】
【０００１】
串刺防止器具の実装に関する。特に、複数の相隔たる鉄筋の露出端上又は露出端周辺への延在する串刺防止器具に関する。
【背景技術】
【０００２】
Ｒａｎｄａｌｌ氏の特許文献１は、特に建設現場で見られる、突出する鉄筋（ｒｅｉｎｆｏｒｃｉｎｇ  ｂａｒｓ）コンクリートの遮蔽に使用される串刺プロテクターを開示する。この串刺プロテクターは、転落者又は鉄筋の先端との接触によって引き起こされる人体損傷を防止するために使用される。この串刺プロテクターは、串刺プロテクターが鉄筋の上を滑るように串刺プロテクターの自由端が結び付けられて形成された細長いＵ字形チャネルにより構成され、そこへの摩擦適合を作り出し、そこへ自身を固定する。  
【先行技術文献】
【特許文献】
【０００３】
【特許文献１】米国特許第５，９５０，６８０号
【発明の概要】
【発明が解決しようとする課題】
【０００４】
上述した先行技術は、いくつかの短所を有しうる。建設現場で落下する人々の多くは、垂直方向に１０フィートの距離以内で、従って、垂直軸に関して傾斜して落下する。落下する人々は、従って、傾斜せずに落下するより、傾斜して落下しやすい。前記人々が傾斜して前述の器具の上に落下した場合、その器具は、スライドし、鉄筋の端部を露出する傾向を有しうるので、串刺のリスクを増加させる。
【０００５】
上述した器具は、貯蔵目的のため相対的に分厚く、鉄筋の上への延在しにくい。
【０００６】
このため、串刺防止器具の改良が必要とされている。
【０００７】
本明細書で開示された、短所を克服した串刺防止器具を提供する。
【課題を解決するための手段】
【０００８】
従って、相隔たる複数の鉄筋と共に使用される串刺防止器具が提供される。本器具は、鉄筋の露出端の上に延在するように形成された細長い先端部を備える。本器具は、当該先端部に接続（ｃｏｎｎｅｃｔ）され、そこから下側に延在する細長い相隔たる側部のペアを備える。本器具は、それぞれが側部と接続され、かつ、側部の間に延在する相隔たる末端部のペアを備える。当該先端部、当該側部及び末端部は、鉄筋の露出端の周辺に延在可能な筐体を形成する。
【０００９】
また、相隔たる複数の鉄筋と共に使用される串刺防止器具が提供される。本器具は、鉄筋の露出端の周辺に延在可能な筐体を形成する手段を備える。
【００１０】
本発明は、添付図面のへの参照とともに後述されるほんの一例としての好ましい実施態様の説明からより容易に理解されるだろう。
【図面の簡単な説明】
【００１１】
【図１】一つの態様に従った串刺防止器具の先端、側面透視図（ａ  ｔｏｐ，  ｓｉｄｅ  ｐｅｒｓｐｅｃｔｉｖｅ  ｖｉｅｗ）であり、串刺防止器具が複数の相隔たる鉄筋の露出端の周辺又は上側への延在していることを示す図。
【図２】図１の器具の２−２線に沿った断面図。
【図３】図１の器具の底面図。
【図４】図１の器具の４−４線に沿った断面図。
【図５】複数の串刺防止器具の図４に類似した断面図であり、共に積み重ねられ、各器具は図１に示されるタイプである。
【図６】第２の態様に従った串刺防止器具の側面図であり、串刺防止器具が複数の相隔たる鉄筋の露出端の周辺又は上側への延在していることを示す図。
【図７】複数の串刺防止器具の図５の断面図に類似した断面図であり、共に積み重ねられ、各器具は図６に示されるタイプである。
【図８】第３の態様に従った串刺防止器具の先端、側面透視図（ａ  ｔｏｐ，  ｓｉｄｅ  ｐｅｒｓｐｅｃｔｉｖｅ  ｖｉｅｗ）であり、串刺防止器具が複数の相隔たる鉄筋の露出端の周辺又は上側への延在していることを示す図。
【図９】複数の串刺防止器具の図５の断面に類似した断面図であり、共に積み重ねられ、各器具は図８に示されるタイプである。
【図１０】第４の態様に従った串刺防止器具の先端、側面透視図（ａ  ｔｏｐ，  ｓｉｄｅ  ｐｅｒｓｐｅｃｔｉｖｅ  ｖｉｅｗ）。
【図１１】図１０の器具の先端部の一部の細長先端平面図（ａｎ  ｅｎｌａｒｇｅｄ  ｔｏｐ  ｐｌａｎ  ｖｉｅｗ）。
【図１２】図１０の器具の底面、側面透視図（ａ  ｂｏｔｔｏｍ，  ｓｉｄｅ  ｐｅｒｓｐｅｃｔｉｖｅ  ｖｉｅｗ）であり、当該器具は部分的に切り欠けてある。
【図１３】図１０の器具の先端部の一部の細長底面図（ａｎ  ｅｎｌａｒｇｅｄ  ｂｏｔｔｏｍ  ｐｌａｎ  ｖｉｅｗ）。
【図１４】図１０の器具の１４−１４線に沿った図１０の器具の横断面図（ｃｒｏｓｓ−ｓｅｃｔｉｏｎａｌ  ｖｉｅｗ）。
【図１５】図１０の器具の１５−１５線に沿った図１０の器具のサイド断面図（ｓｉｄｅ−ｓｅｃｔｉｏｎａｌ  ｖｉｅｗ）。
【図１６】第５の態様に従った串刺防止器具の図１４に類似した横断面図（ｃｒｏｓｓ−ｓｅｃｔｉｏｎａｌ  ｖｉｅｗ）。
【図１７】図１６の串刺防止器具の図１５に類似したサイド断面図（ｓｉｄｅ−ｓｅｃｔｉｏｎａｌ  ｖｉｅｗ）。
【図１８】第６の態様に従った串刺防止器具の図１６に類似した横断面図（ｃｒｏｓｓ−ｓｅｃｔｉｏｎａｌ  ｖｉｅｗ）。
【発明を実施するための形態】
【００１２】
図１には、コンクリート建造物のための複数の相隔てる鉄筋２２とともに使用される串刺防止器具２０が示されている。各鉄筋は、露出端２４と当該露出端に対して相隔てる近接端２６とを備える。鉄筋の近接端は基盤に接続されており、本実施態様では、コンクリート基盤２８に接続されている。鉄筋２２の露出端２４は、当該基盤に対して相隔てられている。
【００１３】
器具２０は、本実施態様ではリサイクルされたプラスチックにより構成されているが、これは厳格な要求ではない。当該器具は、一つの好ましい態様に従ってポリエスチレンから構成されているが、当該器具は、他の実施態様では、他の材料から構成されてもよい。
【００１４】
器具２０は、くぼんだ筐体の形をしており、鉄筋２２の露出端２４の上部に延在するように形成された細長い先端部３０を備える。当該先端部は、本実施態様では長方形の形状であり、内表面３１とその内表面から相隔てられた外表面３３とを備える。器具２０は、細長い相隔てられた側部３２及び３４とのペアを備える。当該側部は、本実施態様では、二等辺四角形（ｉｓｏｓｃｅｌｅｓ  ｔｒａｐｅｚｏｉｄ）の形状をしている。器具の各側部は、側部３２の近接端３６と遠心端３８として例示されるように、近接端と当該近接端から相隔てられた遠心端とを備える。側部３２及び３４の近接端は器具２０の先端部３０と接続され、そこから鉄筋２２の近接端２６に向けて下方向に延在している。器具の側部は、本実施態様では、図４に示される側部３２と先端部３０との間、かつ、側部３２と先端部３０とに沿って延在する角丸３９のような、角丸（ｒｏｕｎｄｅｄ  ｃｏｒｎｅｒ）を介して器具の先端部と接続されている。
【００１５】
図４に最もよく示されるように、器具２０の各側部３２及び３４は、本実施態様では、先端部に対し鈍角αで、先端部３０に接続され、先端部３０の外側に延在している。角度αは、本実施態様では絶対値が互いに等しく、例えば１００度である。しかしながら、これは厳格な要求ではなく、他の実施態様では他の値であってもよい。
【００１６】
器具２０の側部３２及び３４は、互いに向かい合う内表面４０及び４２をそれぞれ備える。当該器具の当該側部は、内表面と相隔てられた外表面４４及び４６をそれぞれ備える。
【００１７】
器具２０は、複数のスタッキングスペーサー、本実施態様ではエロンゲイトストリップ（ｅｌｏｎｇａｔｅ  ｓｔｒｉｐｓ、細長いストリップ）４８を備える。このストリップは、本実施態様では、角柱（ｒｅｃｔａｎｇｕｌａｒ  ｐｒｉｓｍ）で形成されている。このストリップ４８は、器具の側部３２及び３４の内表面４０及び４２のうちのそれぞれと接続され、これらに沿って相隔てられている。各ストリップは、図４に示される、器具２０の側部３２の端３６及び３８の間に延在するストリップ４８のように、側部の近接端のそれぞれから側部の遠心端のそれぞれまで延在している。図１に示されるように、ストリップ４８は、鉄筋のそれぞれの間に挿入可能に位置している。ストリップ４８は、図５に示されるように、複数の器具が共に積み重ねられている場合には、複数の器具２０の側部のそれぞれの間に間隔を与える。従って、器具が湿っている場合、ストリップは、積み重ねられた器具が粘着することを抑制する。
【００１８】
図１に戻ると、器具２０は、それぞれ、側部３２及び３４の間に接続され、側部３２及び３４の間に延在する、相隔てられた末端部５０及び５２のペアを備える。当該末端部は、本実施態様では、図４に末端部５０が最もよく示すように、二等辺四角形（ｉｓｏｓｃｅｌｅｓ  ｔｒａｐｅｚｏｉｄ）である。器具２０の末端部は、図１に示される末端部５２と側部３２との間に末端部５２と側部３２とに沿って延在する角丸５３のように、角丸を介して器具の側部に接続される。
【００１９】
図２を参照して、器具２０の各末端部５０及び５２のそれぞれは、本実施態様では、器具の先端部３０に接続され、器具の先端部３０に対し鈍角βで器具の先端部３０の外側に延在する。角度βは、本実施態様では、絶対値で互いに等しい。角度βは、本実施態様では１００度に等しいが、これは厳格には要求されず、他の実施態様では異なる値を取ってもよい。器具２０の末端部は、図２に示される末端部５０と先端部３０との間に末端部５０と先端部３０とに沿って延在する角丸５４のような、角丸を介して器具の先端部と接続される。
【００２０】
図１に示されるように、器具２０は、先端部３０と相隔てられた開端５６を備える。開端は、本実施態様では長方形に形成され、本実施態様では、先端部よりも大きい。器具２０は、開端５６から先端部に向けて先細となっている。器具２０の先端部３０、側部３２及び３４並びに末端部５０及び５２は、鉄筋２２の露出端２４の周りに延在可能な筐体５８を形成する。器具２０の末端部は、人が器具の上に傾斜して落下したときに、鉄筋に隣接するように形成される。これにより、器具が鉄筋の露出端の周り又は上側に延在したままとなることが確保されうる。器具２０がその角丸及び外側へ突き出ている末端部５０及び５２並びに側部３２及び３４とともに形成されているので、落下者を守り、怪我を最小にするために、落下の影響を吸収するように機能する。
【００２１】
図５に示されるように、筐体５８は、さらに、器具２０のそれぞれが積み重ねられる場合に、追加的な器具の側部と先端部とを受けるように形成されている。これは、格納及び運搬目的で、効率的かつコスト効果的な手法で器具が一緒にパックされることを可能にしうる。
【００２２】
図６及び７は、第２の態様に従った串刺防止器具２０．１を示す。図１〜図５に示される串刺防止器具２０と同等の部品には、串刺防止器具２０の部品の符号及び機能に、"．１"を付加して示している。器具２０．１は、スペーサーが、突起部６０及び６２のような、相隔てられた、部分的に球形の、凸状に屈曲した突起部のペアの形態である点を除き、実質的に図１〜５に示されている器具２０と同一である。当該突起部は、器具２０．１の側部３２．１の外表面４４．１と接続され、かつ、当該外表面４４．１から外側に延在する突起部６０及び６２のように、側部の外表面に接続され、かつ、外表面の外側に延在している。
【００２３】
図８及び図９は、第３の態様に従った串刺防止器具２０．２を示している。図１〜図５に示される串刺防止器具２０と同等の部品には、串刺防止器具２０の部品の符号及び機能に、"．２"を付加して示している。器具２０．２は、次の点を除き、実質的に図１〜５に示されている器具２０と同一である。器具の先端部３０．２は、本実施態様では、図９に最もよく示されている三つのリブ６４，６６，６８のように、相隔てられた複数のエロンゲイトリブ（細長いリブ）を備えている。リブは、材料と重量を最小化する方法で、器具２０．２の先端部を強化するように機能しうる。一つの好ましい態様によれば、器具２０．２は、射出成型される。リブ６４，６６，６８の提供により、器具の先端部３０．２は、より薄く形成され、これにより、射出成型処理を促進する。
【００２４】
器具２０．２の先端部は、鉄筋２２の露出端２４のそれぞれを受けるように形成された内表面３１．２上に中央の細長い溝（ｇｒｏｏｖｅ）７０を備える。当該溝は、本実施態様では、中央リブ６６に隣接し、平行となるように調整される。リブ６４，６６及び６８は、本実施態様では、先端部を波状に形成することにより生成され、溝７０もまたこれにより形成される。
【００２５】
図１０〜１５は、第４の態様に従った串刺防止器具２０．３を示す。図６及び図７に示される串刺防止器具２０．２と同等の部品には、串刺防止器具２０の部品の符号及び機能の少数拡張子"．２"に代えて少数拡張子"．３"を付加して示している。器具２０．３は、次の点を除き、実質的に図６及び７に示されている器具２０．２と同一である。
【００２６】
器具の先端部３０．３は、図１０、１２，及び１５によく示された、相隔てられた長手方向のリッジ（ｒｉｄｇｅ）７２及び７４を備え、当該リッジ７２及び７４は、器具２０．３の側部３２．３及び３４．３のそれぞれに隣接した位置に位置する。リッジは、本実施態様では、上部が平たくなっているが、これは厳格には要求されない。器具２０．３の先端部３０．３は、図１２及び１５によく示されるように、リッジ７２及び７４の間に位置する細長い溝（ｔｒｏｕｇｈ）７６を備える。当該溝は、器具の先端部３０．３から下方に延在する中央のくぼみ７７を有する。図１０に示されるように、リッジ７２及び７４並びに溝７６は、器具２０．３の末端部５０．３及び５２．３に接続され、末端部５０．３と末端部５２．３との間に延在する。図１２を参照して、溝は、筐体５８．３の中へ下方に延在し、器具の側部３２．３と側部３４．３との間に位置する。
【００２７】
図１２，１３及び１５によく示されるように、器具２０．３は、溝と器具の側具のそれぞれとに接続され、かつ、溝と器具の側具のそれぞれとの間に延在する、長手方向に相隔てられた複数のウェブ（ｗｅｂ）を備える。これは、側部３２．３と溝７６との間に延在するウェブ７８及び側部３４．３と溝７６との間に延在するウェブ８２によって図１５に示されている。ウェブは、従って、器具２０．３の側部３２．３及び３４．３とに接続され、当該側部３２．３と側部３４．３との間に延在する。ウェブ７８及び８２は、また、本実施態様では、器具の先端部３０．３から下方に溝７６の底面部８０まで延在し、これらと接続されている。各ウェブの周辺にある又は隣接した器具２０．３の部材（ｐｏｒｔｉｏｎ）７９は、図１５によく示されるように、本実施態様では、略反Ｕ字形を含む。図１２及び１３によく示されるように、器具２０．３は、また、隣接するウェブの間に位置する複数の相隔てられた凹部８４を備える。当該凹部は、本実施態様では、略三角柱状である。
【００２８】
図１０、１１、１５を参照して、器具２０．３は、溝７６内に位置し、かつ、リッジ７２とリッジ７４とに接続され、かつ、リッジ７２とリッジ７４との間に延在する、複数の長手方向に相隔てられた横リブ８６を備える。当該リブは、図１５によく示されるように、本実施態様では、略Ｕ字形である。図１４によく示されるように、本実施形態では、リブ８６は、長手方向に相隔てられ、ウェブ８２の間に差し込まれている。図１０に戻って、器具２０．３は、リブのそれぞれの間に位置する、複数の相隔てられた凹部８８を備える。当該凹部は、本実施態様では、正方形の外端を有する略三角柱状である。
【００２９】
器具２０．３の側部３２．３及び３４．３、先端部３０．３並びに末端部５０．３及び５２．３は、図１４及び１５によく示されているように、実質的に同じ厚さのシート部材９０で形成されている。器具２０．３は、リッジ及び溝とを有するように形成されているので、先端部３０．３を、効率的により厚く、より強くしながら、反りを抑制する効率的な手法で当該器具を鋳造することが可能となる。ウェブ７８及び８２並びにリブ８６は、さらに、先端部３０．３の重量支持強度（ｗｅｉｇｈｔ−ｂｅａｒｉｎｇ  ｓｔｒｅｎｇｔｈ）を強化する。また、ウェブとリブとは、凹部８４及び８８並びに同じ厚さのシート部材９０とともに、器具の製造時に、器具の効率的な成形と、それに続く冷却とを促進しうる。
【００３０】
図１５に示されるように、本実施態様の器具２０．３は、側部３２．３及び３４．３との間で鉄筋２２の露出端２４をぴったりと受けるように形成されている。この場合、鉄筋の露出端は、器具の側部が器具の先端部３０．３に接続する場所に隣接する位置９２で器具の側部の間にフィットする。
【００３１】
図１６及び１７は、第５の態様に従った串刺防止器具２０．４を示す。図１〜図５に示される串刺防止器具２０と同等の部品には、串刺防止器具２０の部品の符号及び機能に、少数拡張子"．４"を付加して示している。器具２０．４は、次の点を除き、実質的に図１〜５に示されている器具２０と同一である。
【００３２】
器具２０．４は、主に、プラスチック、本実施態様では、ポリエチレンで構成されているが、これは厳格には要求されず、他の材料が使用されてもよい。本実施態様の器具は、さらに、強化板、本実施態様では金属板９４を備える。当該板は、本例では、鋼で構成されている。当該板９４は、器具２０．４の先端部３０．４に接続され、当該先端部３０．４に沿って延在している。板は、本実施形態では、器具の先端部に埋め込まれている。板９４は、相隔てられて屈曲した、長手方向に延在する周辺エッジ部９６及び９８のペアを備え、周辺エッジ部９６及び９８のペアは、本実施態様では、器具２０．４の側部９６及び９８にそれぞれ隣接し、埋め込まれており、器具のコーナー３９．４に隣接している。
【００３３】
図１６に示されるように、器具の側部と器具の先端部３０．４との接続位置に隣接する位置１００において、鉄筋２２の端２４は、器具２０．４の側部３２．４及び３４．４の間でぴったりと受けられる。
【００３４】
図１８は、第６の態様に従った串刺防止器具２０．５を示している。図１６及び図１７に示される串刺防止器具２０．４と同等の部品には、串刺防止器具２０の部品の符号及び機能の少数拡張子"．４"に代えて少数拡張子"．５"を付加して示し、少数拡張子を有しない構成には、数字を追加した。器具２０．５は、次の点を除き、実質的に図１６及び１７に示されている器具２０．４と同一である。
【００３５】
器具は、内面１０２を備え、さらに、器具の当該内面内に位置する相隔てられた突起部１０４及び１０６のペアを備える。当該突起部は、本実施態様では、長手方向に延在し、例えば、器具の末端部の間に延在するが、これは厳格には要求されない。突起部１０４は、器具２０．５の側部３２．５の内表面４０．５から外側に延在し、突起部１０６は、器具の側部３４．５の内表面４２．５から外側に延在している。当該突起部は、器具２０．５の先端部３０．５に隣接し、当該先端部３０．５と相隔てられて位置している。突起部１０４及び１０６は、本実施態様では、部分的に球形で、凸状に湾曲した外表面１０７及び１０８を有する。板９４．５は、器具２０．５の先端部３０．５の内表面３１．５に隣接している。板は、突起部１０４及び１０６と器具の先端部との間に位置し続けている。ある例では、板９４．５は、器具が成形されてからすぐに、すなわち可鍛性がある間に、その板がその場所に向けて圧迫を受け、音を立てながら、突起部１０４及び１０６のそばを通り過ぎ、器具の先端部３０．５の内表面３１．５に向けて押し込まれることにより備え付けられる。当該板の端部９６．５及び９８．５は、板がその位置に位置しているとき、突起部１０４及び１０６にそれぞれ隣接する。
【００３６】
本明細書で記述された器具の各実施態様の先端部、側部及び末端部は、鉄筋の露出端の周りに延在可能な筐体を形成する手段として、参照される。
【００３７】
本明細書に記載された本発明の範囲に含まれる多くのバリエーションが可能であることは、高く評価されるだろう。上記された詳細の多くは、単に例示に過ぎず、少なくとも特許請求の範囲に関して定められるべき本発明の範囲を制限するわけではないことは、当業者によって理解されるだろう。
【図１】
0006308535.tif 000002
【図２】
0006308535.tif 000003
【図３】
0006308535.tif 000004
【図４】
0006308535.tif 000005
【図５】
0006308535.tif 000006
【図６】
0006308535.tif 000007
【図７】
0006308535.tif 000008
【図８】
0006308535.tif 000009
【図９】
0006308535.tif 000010
【図１０−１１】
0006308535.tif 000011
【図１２−１３】
0006308535.tif 000012
【図１４】
0006308535.tif 000013
【図１５】
0006308535.tif 000014
【図１６】
0006308535.tif 000015
【図１７】
0006308535.tif 000016
【図１８】
0006308535.tif 000017